(57)【特許請求の範囲】
【請求項１】
水路に接する側の水路形成面に上記水路の水流方向に互いに間隔を隔てて設けられている魚の出入りが可能な上流側及び下流側の開口部と、上記水路の水流方向にほぼ平行に設けられた奥部から両端が湾曲して上記各開口にそれぞれ連通している連通孔とを有し、上記各開口部はそれぞれ上部が上記水流の上流方向へ向って傾斜した長円形を成していることを特徴とする魚巣付き護岸ブロック。
【請求項２】
請求項１記載の魚巣付き護岸ブロックにおいて、上記連通孔の奥部より上記各開口部へ向う湾曲部分の方向は、何れも上記水路の下流方向へ指向されていることを特徴とする魚巣付き護岸ブロック。
【発明の詳細な説明】
【０００１】
【発明の属する技術分野】
この発明は、河川、用水路等の水の流れる水路の擁壁を形成するための魚巣付き護岸ブロックに関する。
【０００２】
【従来の技術】
図７に示すように、従来より河川１の擁壁２を形成するための魚巣付き護岸ブロック３がある。なお、護岸ブロックに魚巣孔４を設けた理由は、魚巣孔４の設けられていない護岸ブロックだけで擁壁２を形成すると、河川１から魚巣に適した場所が消失してしまって魚が少なくなるので、これを防止するためである。つまり、護岸ブロック５に設けた魚巣孔４が魚の産卵の為の住家として利用されるようにして魚の繁殖を図ると共に、漁師を保護しようとするものである。
【０００３】
従来の魚巣付き護岸ブロック３は、図７に示すように、略直方体の形状をしており、河川１の水と接触する側の水路形成面６に開口する魚巣孔４が１つ穿設されている。この魚巣孔４は、開口部が矩形であり、孔の長さ方向の中心線７が水路形成面６の法線と平行している。従って、図７に示すように、魚巣付き護岸ブロック３を使用して、傾斜面（水路形成面６）の傾斜角度が６３°となるように擁壁２を形成すると、魚巣孔４の底面８が開口部から奥側に向かって下方に傾斜することとなり、この傾斜角度は、水平面に対して２７°の角度となる。
【０００４】
【発明が解決しようとする課題】
しかし、図７に示す従来の魚巣付き護岸ブロック３では、魚巣孔４と連通する開口部は１しか形成されていない袋状であるので、魚巣孔４内に土砂９や泥が溜まると、この土砂９等が水流によってこの魚巣孔４から排出され難く、やがて同図に示すように魚巣孔４内が土砂９で埋まることとなる。その結果、魚の産卵ができなくなり、魚巣としての機能を果たせなくなる。
そして、図７に示すように、魚巣孔４の底面が開口部から奥側に向かって下方に傾斜しているので、これによっても魚巣孔４内に溜まった土砂９が排出され難いという問題がある。
【０００５】
本発明は、魚巣を形成する連通孔内に土砂が溜まり難く、これによって魚巣としての機能を永続的に果たすことができる魚巣付き護岸ブロックを提供することを目的とする。
【０００６】
【課題を解決するための手段】
本発明による魚巣付き護岸ブロックは、水路に接する面にこの水路の水流方向に互いに間隔を隔てて設けられた開口部と、このブロックの内部に形成され上記水流方向に平行な奥部及びその両端から湾曲してそれぞれ上記各開口部に通じている湾曲部よりなる連通孔を有する。上記各開口部は魚の出入りが可能であり、上記各開口部は上記水流の上流方向へ向って傾斜した長円形をなしている。
【０００７】
更に本発明においては、上記水路の上流側の上記開口部より上記連通孔へ流入する水流は上記水路水流の上流方向に傾斜し、下流側の上記開口部より上記水路へ流出する水流は、上記水路水流の下流方向に傾斜し、下流側開口部における流出水流の方向が同開口部の法線に対する傾斜角は、上流側開口部における流入水流の方向が同法線に対する傾斜角よりも大きく選ばれる。
【０００８】
そして、上記連通孔の奥部から各開口部へ向かう各湾曲部の底面は、水平または各開口部へ向って僅かに下向傾斜している。上述のように、両端の開口部間を結んでいる連通孔は、底面が水平または緩い傾斜であるために適量の土砂等が溜り、魚の成育に適した環境を作る。そして開口部が傾斜した長円形を成していることと、下流側開口部の指向方向の傾斜角を上流側開口部の指向方向の傾斜角より大きく選んだことにより、上流側開口部から水と共に土砂が流入するのを抑制すると共に、下流側開口部から水と共に土砂が排出されるのを助けて、上記連通孔内に堆積する土砂の量を適量に維持している。
【００１４】
【発明の実施の形態】
本発明に係る魚巣付き護岸ブロックの一実施形態を各図を参照して説明する。この魚巣付き護岸ブロック１１は、コンクリート製であり、例えば河川１等の水路の岸に擁壁１０を形成するために使用されるものである。そして、図１に示すように、上側ブロック１２と下側ブロック１３とを結合して１個の魚巣付き護岸ブロック１１を構成しており、図５に示す魚巣が設けられていない通常の護岸ブロック１４の２個分に相当している。
図１に示す魚巣付き護岸ブロック１１は、河川の右岸用のもので、２個の通常の護岸ブロック１４、１４を右に傾けた状態で互いに結合したものに相当する形状である。魚巣付き護岸ブロック１１をこのような形状に形成した理由は、図５に示すように右岸の護岸ブロック１４を谷積みの形で施工するときに、２個の護岸ブロック１４、１４に代えて１個の魚巣付き護岸ブロック１１を組み込むことができるようにするためである。
【００１５】
この魚巣付き護岸ブロック１１の正面は、河川１の水と接触する水路形成面１５であり、この水路形成面１５は、縦長の２つの長方形の水路形成面が右に傾いた状態で横に並んで結合した形状のものである。そして、上流側の水路形成面１５には、上流側の開口部１６を設けてあって、下流側の水路形成面１５には、下流側の開口部１７を設けてある。この２つの開口部１６、１７は、形状が同一であり、左下から右上に向かう方向に約７０°の角度で傾斜する長円形であって、互いに間隔を隔てて略水平方向に沿って設けてある。このように、開口部１６、１７を約７０°の角度で傾斜させているのは、上流側の開口部１６に水と共に土砂が流入し難くするためであり、下流側の開口部１７から水と共に土砂が流出し易くするためである。
【００１６】
そして、この上流側及び下流側の２つ開口部１６、１７は、図１（ａ）に示すように、互いに連通孔１８を介して連通している。この連通孔１８が魚巣となり、従って、この連通孔１８及び２つの開口部１６、１７は、魚が出入り可能な大きさに形成してある。連通孔１８は、図１（ａ）に示すように、河川１の流れ方向２６と略平行する奥部１８ａと、上流側の開口部１６と連通する上流側湾曲部１８ｂと、下流側の開口部１７と連通す下流側湾曲部１８ｃと、からなっている。
また、この魚巣付き護岸ブロック１１は、図２（ｂ）に示すように、水路形成面１５が約６３°で傾斜する擁壁１０として施工された状態で、連通孔１８の上流側湾曲部１８ｂの底面２０は、開口部１６、に向かって下方に約５°傾斜し、下流側湾曲部１８ｃの底面２１は、開口部１７に向かって下方に約３°傾斜している。
【００１７】
また、図３（ｂ）の下側ブロック１３の平面図に示すように、上流側の開口部１６の水の流入方向２３と水路形成面１５の法線方向２４とのなす角度θ1 （＝３０°）が、下流側の開口部１７の水の流出方向２５と法線２４とのなす角度θ2 （＝３５°）よりも小さくなるように２つの各開口部１６、１７の内壁面を形成してある。なお、上流側の開口部１６の水の流入方向２３は法線方向２４よりも河川１の下流側に向かい、下流側の開口部１７の水の流出方向２５は法線方向２４よりも河川１の下流側に向かっている。なお各図面の矢印２６は、川の流れる方向である。
【００１８】
そして、この魚巣付き護岸ブロック１１は、図１に示すように、水路形成面１５を上側と下側に２分割する水平面で、上側ブロック１２と下側ブロック１３に分割されている。ここで、連通孔１８がその孔に沿って上側と下側に２つに分割されており、これにより、連通孔１８の上側内壁面を形成する上側溝２７が上側ブロック１２の下面に設けられており、連通孔１８の下側内壁面を形成する下側溝２８が下側ブロック１３の上面に設けられている。
また、図２（ａ）に示すように、下側ブロック１３の上面には２つの凸部２９、２９を設けてあり、図３（ａ）に示すように、上側ブロック１２の下面には２つの凹部３０、３０を設けてある。この凸部２９、２９と凹部３０、３０を嵌合させて上側ブロック１２の下面と下側ブロック１３の上面とを合わせることにより、両者が互いに係合し、図１に示す魚巣付き護岸ブロック１１の形となる。
【００１９】
更に、図１乃至図４に示す魚巣付き護岸ブロック１１は、図５に示すように、水の流れる方向から見て右岸の擁壁１０を形成するためのものであり、水の流れる方向から見て左岸の擁壁３１を形成するための魚巣付き護岸ブロック１１は、図６に示すように、上記実施形態のものと左右対称な形状に形成する。
【００２０】
上記のように構成された魚巣付き護岸ブロック１１によると、例えば河川１の擁壁１０、３１として施工された状態で連通孔１８が魚巣となり、この連通孔１８内で魚が産卵することができ、生息することができる。この連通孔１８は、上流側の開口部１６から水と共に流入してきた土砂を下流側の開口部１７から水と共に流出させることができ、これによって、連通孔１８内に土砂が溜まらないようにすることができる。これにより、この連通孔１８は、永続的に魚巣としての機能が損なわれず、従って、従来よりも確実に魚の産卵の為の住家として利用されて魚の繁殖を図ることができる。
【００２１】
そして、図１に示すように、上側ブロック１２に設けられている上側溝２７と下側ブロック１３に設けられている下側溝２８とを合わせることにより魚巣となる連通孔１８を形成することができるので、連通孔１８を備えるこの魚巣付き護岸ブロック１１を上側ブロック１２と下側ブロック１３とで別個に製造して完成させることができる。これにより、魚巣付き護岸ブロック１１の製造を簡単に行うことができ、所望の形状の連通孔１８を正確に形成することができる。つまり、この魚巣付き護岸ブロック１１は、コンクリートからできているので、一体のものとして製作して連通孔１８を形成するよりも、上側ブロック１２に上側溝２７を形成し、下側ブロック１３に下側溝２８して、この上側溝２７と下側溝２８とを合わせることにより魚巣となる連通孔１８を形成する方が製作がし易いからである。
【００２２】
そして、護岸ブロックに魚の住家となる連通孔１８を設けようとすると、護岸ブロックの嵩が大きくなるが、この魚巣付き護岸ブロック１１によると、別個に製造した上側と下側の２つのブロック１２、１３を組み合わせて完成させることができるので、上側及び下側の各ブロック１２、１３の嵩を小さくすることができるし、重量も軽くすることができる。これにより、魚巣付き護岸ブロック１１の製造、運搬、及び施工を簡単に行うことができる。
【００２３】
また、図２（ｂ）に示すように、水路形成面１５が約６３°で傾斜する擁壁１０としてこの魚巣付き護岸ブロック１１が施工された状態で、連通孔１８の開口側部１８ｂ、１８ｃ及び奥側部１８ａの各底面２０、２１、２２が連通孔１８の奥側から各開口部１６、１７に向かって下方に夫々約５°及び約３°で傾斜しているので、河川１の水に伴って土砂が上流側の開口部１６を通って連通孔１８内に流入してきても、この連通孔１８内の流水によって土砂を下流側の開口部１７を通って連通孔１８外に比較的流出させ易くすることができる。これによって、この連通孔１８は、永続的に魚巣としての機能が損なわれず、魚の産卵の為の住家として利用を図ることができる。
なお、連通孔１８の底面の傾斜する角度は、約５°と約３°であり傾斜が緩いので、この連通孔１８内での魚の産卵に差し障りはない。
【００２４】
更に、図３（ｂ）に示すように、水が流入する上流側の開口部１６の水の流入方向は、河川１の水の流れる方向２６と直交する法線方向２４よりも下流側に向かっているが、流入方向２３と法線２４とのなす角度が約３０°であり比較的小さいので、水に伴って土砂がこの上流側の開口部１６から連通孔１８内に流入し難くすることができる。そして、水が流出する下流側の開口部１７の水の流出方向２５は、河川１の水の流れる方向と直交する法線方向２４よりも下流側に向かっており、流出方向２５と法線方向２４とのなす角度が約３５°であり比較的大きいので、連通孔１８内の土砂が水に伴ってこの下流側の開口部１７から流出し易くすることができる。これによって、連通孔１８には、土砂が溜まり難く、永続的に魚巣としての機能を維持させることができる。
【００２５】
ただし、上記実施形態に係る魚巣付き護岸ブロックは、図２（ｂ）に示すように、水路形成面１５が約６３°で傾斜する擁壁１０を造るためのものであり、連通孔１８の開口部側１８ｂ、１８ｃの底面２０、２１と水路形成面１５との成す角度θ3 をそれぞれ５８°（＝６３°−５°）及び６０°（＝６３°−３°）としたが、水路形成面１５の傾斜角度が例えば約５５°の擁壁１０を造るための魚巣付き護岸ブロックとする場合は、連通孔１８の開口部側１８ｂ、１８ｃの底面２０、２１と水路形成面１５との成す角度θ3 をそれぞれ５０°（＝５５°−５°）及び５２°（＝５５°−３°）とする必要がある。
【００２６】
そして、上記実施形態では、図２（ｂ）に示すように、水路形成面１５が約６３°で傾斜する擁壁１０として施工された状態で、連通孔１８の開口側部１８ｂ、１８ｃ、の各底面２０、２１、の奥部底面２２から各開口部１６、１７に向かって下方にそれぞれ約５°及び約３°で傾斜する構成としたが、これに代えて、各底面２０、２１、２２が略水平面となるように形成してもよい。要は、連通孔１８の開口部側１８ｂ、１８ｃ、及び奥部１８ａの各底面２０、２１、２２の角度は、連通孔１８内に土砂が溜まり難くすると共に、魚の産卵が可能なように、連通孔１８内の水流や連通孔１８の形状に応じて定めればよい。
【００２７】
また、上記実施形態では、図２（ｂ）に示すように、流入方向２３と法線方向２４との成す角度θ1 を３０°とし、流出方向２５と法線方向２４との成す角度θ2 を３５°としたが、これ以外の角度としてもよい。要は、角度θ1 をθ2 よりも小さくすればよく、例えば（θ1 ＝２５°、θ2 ＝３０°）、又は（θ1 ＝３５°、θ2 ＝４０°）としてもよい。
【００２８】
更に、上記実施形態では、図１（ｂ）に示すように、上流側及び下流側の２つの開口部１６、１７を略水平方向に沿って設けた構成としたが、これに代えて、擁壁１０として施工した状態でこの２つの開口部１６、１７の高さが互いに相違する構成としてもよい。要は、連通孔１８が魚巣としての役目を果たすことができればよい。
そして、上記実施形態の魚巣付き護岸ブロック１１は、上側ブロック１２と下側ブロック１３とからなる構成としたが、これに代えて、魚巣付き護岸ブロック１１を一体に形成した構成としてもよい。
【００２９】
また、上記実施形態では、図５に示すように、擁壁１０の１箇所に１個の魚巣付き護岸ブロック１１を設けた例を示したが、２個以上の魚巣付き護岸ブロック１１を横１列に設けてもよいし、横に２列以上設けてもよい。
【００３０】
なお、上記実施形態の魚巣付き護岸ブロック１１は、図１に示すように、奥行きＬ1 ＝３５０ｍｍ、横幅Ｌ2 ＝８９０ｍｍ、高さＬ3 ＝４９０ｍｍ、各開口部１６、１７の横幅Ｌ4 ＝９０ｍｍ、開口部１６と１７の間隔Ｌ5 ＝３９０ｍｍ、各開口部１６、１７の縦の長さＬ6 ＝１６０ｍｍ、連通孔１８の奥行きＬ7 ＝２７５ｍｍ、奥側部１８ａの奥行きＬ8 ＝１４０ｍｍであり、図１（ｂ）に示す長方形の流路形成面１５の縦と横の長さＬ9 とＬ10が４２０ｍｍと２８０ｍｍである。そして、上側ブロック１２と下側ブロック１３の各重量が約４８．４ｋｇ、約５０．８ｋｇである。
【００３１】
【発明の効果】
本発明の魚巣付き護岸ブロックを用いて施工した護岸では、２つの開口部を連通孔によって結んでいるので、連通孔内を絶えず新鮮な水が流通している。そして、上記連通孔の底部は水平若しくは各開口部の少なくとも一方へ向って下方傾斜しているので、連通孔に土砂等が堆積するのが防がれる。更に上記各開口部では、連通孔を流れる水流の方向が上記水路を流れる水流の下流方向に傾斜しているので、水路の上流側の開口部から土砂を伴った水流が連通孔に流入するのを抑制し、かつ下流側の開口部からは連通孔内の水が土砂を伴って排出され易くしている。このように上記連通孔内は、土砂の堆積が抑制され、かつ新鮮な水が流通しているので、魚の産卵や生育のための永続的に環境が整えられる。
【図面の簡単な説明】
【図１】  この発明の一実施形態に係る右岸用の魚巣付き護岸ブロックを示す図であり、（ａ）は平面図、（ｂ）は正面図、（ｃ）は側面図である。
【図２】  同実施形態に係る右岸用の魚巣付き護岸ブロックの下側ブロックを示す図であり、（ａ）は正面斜視図、（ｂ）は側面斜視図である。
【図３】  同実施形態に係る右岸用の魚巣付き護岸ブロックを示す図であり、（ａ）は上側ブロックの正面斜視図、（ｂ）は下側ブロックの平面図である。
【図４】  同実施形態に係る魚巣付き護岸ブロックを右岸の擁壁の一部に組み込んだ状態を示す斜視図である。
【図５】  同実施形態に係る魚巣付き護岸ブロックを右岸の擁壁の一部に組み込んだ状態を示す正面図である。
【図６】  同実施形態に係る魚巣付き護岸ブロックを左岸の擁壁の一部に組み込んだ状態を示す正面図である。
【図７】  従来の魚巣付き護岸ブロックを擁壁の一部に組み込んだ状態を示す断面図である。
【図１】
0003809279.tif 000002
【図２】
0003809279.tif 000003
【図３】
0003809279.tif 000004
【図４】
0003809279.tif 000005
【図５】
0003809279.tif 000006
【図６】
0003809279.tif 000007
【図７】
0003809279.tif 000008